【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】
情報を格納する複数の記憶装置と、
前記複数の記憶装置に対する情報の格納を制御する記憶装置制御部と、
前記記憶装置制御部に接続される接続部と、
前記接続部を介して前記記憶装置制御部に接続されるとともに、自記憶装置システムの外部の第一のネットワークに接続され、前記外部の第一のネットワークを介して受けた第一の形式の情報を第二の形式の情報に変換して前記複数の記憶装置へのアクセスを要求される第一のプロセッサと、前記第一のプロセッサからのアクセス要求に応じて前記接続部及び前記記憶装置制御部を介して前記複数の記憶装置へアクセスするとともに、前記第一のプロセッサの起動を制御する第二のプロセッサとを有する第一の通信制御部とを有することを特徴とする記憶装置システム。
【請求項２】
請求項１に記載の記憶装置システムにおいて、
前記記憶装置システムの外部の第二のネットワークに接続される第二の通信制御部を更に備え、
前記第一の通信制御部と前記第二の通信制御部とは、同様の回路基板によって構成されていることを特徴とする記憶装置システム。
【請求項３】
請求項２に記載の記憶装置システムにおいて、
前記第一のプロセッサは、自プロセッサのハードウェア診断を行うものであり、
前記第二のプロセッサは、前記第一のプロセッサに対して前記第一のプロセッサのハードウェア診断の開始を要求するものであることを特徴とする記憶装置システム。
【請求項４】
請求項３に記載の記憶装置システムにおいて、
前記第一の通信制御部及び前記第二の通信制御部に接続される管理端末とを有し、
前記第二のプロセッサは、前記第一のプロセッサに対して前記第一のプロセッサの第一の処理開始を要求するものであり、
前記第一のプロセッサは、前記第二のプロセッサからの前記第一の処理開始の要求に応じて、前記管理端末から第一のソフトウェアを取得することを特徴とする記憶装置システム。
【請求項５】
請求項４に記載の記憶装置システムにおいて、
前記第一のプロセッサは、前記管理端末から取得した第一のソフトウェアによる制御に応じて前記管理端末から第二のソフトウェアを取得して前記複数の記憶装置に対して、前記接続部及び前記記憶装置制御部を介して書き込むことを特徴とする記憶装置システム。
【請求項６】
請求項５に記載の記憶装置システムにおいて、
前記第二のプロセッサは、前記第一のプロセッサに対して前記第一のプロセッサの第二の処理開始を要求するものであり、
前記第一のプロセッサは、前記第二のプロセッサからの前記第二の処理開始の要求に応じて、前記複数の記憶装置に書き込まれた第二のソフトウェアを、前記接続部及び前記記憶装置制御部を介して取得することを特徴とする記憶装置システム。
【請求項７】
請求項４又は請求項６に記載の記憶装置システムにおいて、
前記第一の処理開始要求及び前記第二の処理開始要求には、時刻情報が含まれることを特徴とする記憶装置システム。
【請求項８】
請求項１に記載の記憶装置システムにおいて、
前記第一の通信制御部は、第三のソフトウェアを記憶する記憶装置を有し、
前記第一のプロセッサは、前記第一の通信制御部の起動に際して、前記第三のソフトウェアを起動させて、前記第二のプロセッサからの要求を待つものであることを特徴とする記憶装置システム。
【請求項９】
請求項８に記載の記憶装置システムにおいて、
前記記憶装置システムの外部の第二のネットワークに接続される第二の通信制御部を更に備え、
前記第一の通信制御部と前記第二の通信制御部とは、同様の回路基板によって構成されていることを特徴とする記憶装置システム。
【請求項１０】
請求項９に記載の記憶装置システムにおいて、
前記第一のプロセッサは、自プロセッサのハードウェア診断を行うものであり、
前記第二のプロセッサは、前記第一のプロセッサに対して前記第一のプロセッサのハードウェア診断の開始を要求するものであることを特徴とする記憶装置システム。
【請求項１１】
請求項１０に記載の記憶装置システムにおいて、
前記第一の通信制御部及び前記第二の通信制御部に接続される管理端末とを有し、
前記第二のプロセッサは、前記第一のプロセッサに対して前記第一のプロセッサの第一の処理開始を要求するものであり、
前記第一のプロセッサは、前記第二のプロセッサからの前記第一の処理開始の要求に応じて、前記管理端末から第一のソフトウェアを取得することを特徴とする記憶装置システム。
【請求項１２】
請求項１１に記載の記憶装置システムにおいて、
前記第一のプロセッサは、前記管理端末から取得した第一のソフトウェアによる制御に応じて前記管理端末から第二のソフトウェアを取得して前記複数の記憶装置に対して、前記接続部及び前記記憶装置制御部を介して書き込むことを特徴とする記憶装置システム。
【請求項１３】
請求項１２に記載の記憶装置システムにおいて、
前記第二のプロセッサは、前記第一のプロセッサに対して前記第一のプロセッサの第二の処理開始を要求するものであり、
前記第一のプロセッサは、前記第二のプロセッサからの前記第二の処理開始の要求に応じて、前記複数の記憶装置に書き込まれた第二のソフトウェアを、前記接続部及び前記記憶装置制御部を介して取得することを特徴とする記憶装置システム。
【請求項１４】
請求項１１又は請求項１３に記載の記憶装置システムにおいて、
前記第一の処理開始要求及び前記第二の処理開始要求には、時刻情報が含まれることを特徴とする記憶装置システム。
【請求項１５】
情報を格納する複数の記憶装置と、前記複数の記憶装置に対する情報の格納を制御する記憶装置制御部と、前記記憶装置制御部に接続される接続部と、前記接続部を介して前記記憶装置制御部に接続されるとともに、自記憶装置システムの外部の第一のネットワークに接続される第一の通信制御部とを有する記憶装置システムの起動方法であって、
前記外部の第一のネットワークを介して受けた第一の形式の情報を第二の形式の情報に変換して前記複数の記憶装置へのアクセスを要求される第一のプロセッサは、前記第一のプロセッサからのアクセス要求に応じて前記接続部及び前記記憶装置制御部を介して前記複数の記憶装置へアクセスする第二のプロセッサによって起動を制御されるものであり、
前記第二のプロセッサは、前記第一のプロセッサに対して前記第一のプロセッサのハードウェア診断の開始を要求し、
前記第一のプロセッサは、前記自プロセッサのハードウェア診断の開始要求に応じて、ハードウェア診断を行うものであることを特徴とする記憶装置システムの起動方法。
【請求項１６】
請求項１５に記載の記憶装置システムの起動方法において、
記憶装置システムは、前記第一の通信制御部及び前記第二の通信制御部に接続される管理端末とを有し、
前記第二のプロセッサは、前記第一のプロセッサに対して前記第一のプロセッサの第一の処理開始を要求し、
前記第一のプロセッサは、前記第二のプロセッサからの前記第一の処理開始の要求に応じて、前記管理端末から第一のソフトウェアを取得することを特徴とする記憶装置システムの起動方法。
【請求項１７】
請求項１６に記載の記憶装置システムの起動方法において、
前記第一のプロセッサは、前記管理端末から取得した第一のソフトウェアによる制御に応じて、前記管理端末から第二のソフトウェアを取得して、前記複数の記憶装置に対して、前記接続部及び前記記憶装置制御部を介して書き込むことを特徴とする記憶装置システムの起動方法。
【請求項１８】
請求項１７に記載の記憶装置システムの起動方法において、
前記第二のプロセッサは、前記第一のプロセッサに対して前記第一のプロセッサの第二の処理開始を要求し、
前記第一のプロセッサは、前記第二のプロセッサからの前記第二の処理開始の要求に応じて、前記複数の記憶装置に書き込まれた第二のソフトウェアを、前記接続部及び前記記憶装置制御部を介して取得することを特徴とする記憶装置システムの起動方法。
【請求項１９】
複数の記憶デバイスと、前記複数の記憶デバイスへのデータアクセスを制御するディスク制御部と、外部ネットワークを介して情報処理装置に接続するチャネル制御部と、前記ディスク制御部と前記チャネル制御部とを接続する接続部と、を備える記憶装置システムであって、
前記チャネル制御部は、前記外部ネットワークを介して前記情報処理装置から受信したファイルアクセス要求をブロックアクセス要求に変換して前記複数の記憶デバイスへデータアクセスを要求するＣＰＵと、前記ＣＰＵからのアクセス要求に応答して前記記憶デイバスにアクセスするＩ／Ｏプロセッサと、を備え、
前記Ｉ／Ｏプロセッサは、前記記憶装置システムの電源投入時において、前記ＣＰＵの起動を制御し、
前記ＣＰＵは、前記Ｉ／Ｏプロセッサからのハードウェア診断開始要求に応答して、自身のハードウェア診断を開始する、記憶装置システム。